(57)【要約】      （修正有）【課題】海底に蓄積せず、環境的にも好ましいと共に低コストで生産可能なマキコボシ釣り用撒き餌投入容器を提供する。【解決手段】互いに対向状態に付き合わされた状態で撒き餌２と釣り針３が刺し込まれた付け餌４とを収納可能な撒き餌収納空間５を内部に形成可能な一対の撒き餌収納体６を備え、撒き餌収納体６が、海水に溶ける有機材料で形成されている。特に、撒き餌収納体６が、最中の皮種と同じ材料で形成されている。【選択図】図１
0003177106.tif 000002
【実用新案登録請求の範囲】
【請求項１】
互いに対向状態に付き合わされた状態で撒き餌と釣り針が刺し込まれた付け餌とを収納可能な撒き餌収納空間を内部に形成可能な一対の撒き餌収納体を備え、
前記撒き餌収納体が、海水に溶ける有機材料で形成されていることを特徴とするマキコボシ釣り用撒き餌投入容器。
【請求項２】
請求項１に記載のマキコボシ釣り用撒き餌投入容器において、
一対の前記撒き餌収納体が、互いに付き合わされた状態で中間に外径が両端部よりも小さく設定されたくびれ部を有していることを特徴とするマキコボシ釣り用撒き餌投入容器。
【請求項３】
請求項１又は２に記載のマキコボシ釣り用撒き餌投入容器において、
前記撒き餌収納体が、最中の皮種と同じ材料で形成されていることを特徴とするマキコボシ釣り用撒き餌投入容器。
【請求項４】
請求項１から３のいずれか一項に記載のマキコボシ釣り用撒き餌投入容器において、
前記撒き餌収納体を構成する材料に、対象魚が好む材料が含有されていることを特徴とするマキコボシ釣り用撒き餌投入容器。
【考案の詳細な説明】
【技術分野】
【０００１】
本考案は、環境に配慮したマキコボシ釣り用撒き餌投入容器に関する。
【背景技術】
【０００２】
近年、釣りの対象魚であるマダイやイナダなどをボートや生け簀周りで釣る際に有効な釣法として、マキコボシ釣りが特に注目されている。このマキコボシ釣りは、従来、板状の小石や瓦片、または砂タイル（砂をつなぎ剤で板状に固めたもので、海水中で砂に戻るもの）等の捨て錘上に、オキアミ等の撒き餌と共に釣り針を刺し込んだ付け餌を載せ、さらにその上からハリス（釣り糸）を巻き付けたものを使用する釣りである。
【０００３】
この釣りでは、上記のように撒き餌と付け餌とを簡易的に捨て錘上にまとめた状態で海中にそっと落とす共に、所定のタナ（対象魚の遊泳層深さ）まで道糸を送り出し、タナに達した際に道糸を張ることで、巻き付いていたハリスがほどけて撒き餌と付け餌とが海中に撒かれる。したがって、撒き餌や付け餌が捨て錘から離れた状態でいわゆるフカセ釣り状態となるため、所定のタナにおいて撒き餌と付け餌とが自然に同調し、マダイ等が付け餌を捕食する確率が高くなる。
【０００４】
従来、マキコボシ釣りに用いる捨て錘として、例えば特許文献１に記載されているように、質量が自然石と同等で環境に優しい粘性材料で固め成形したマキコボシ釣りの釣り具用捨て錘が提案されている。
【先行技術文献】
【特許文献】
【０００５】
【特許文献１】特開２００２−２７８８５号公報
【考案の概要】
【考案が解決しようとする課題】
【０００６】
上記従来の技術には、以下の課題が残されている。
すなわち、マキコボシ釣りでは、使用した捨て錘はそのまま海底に沈んでしまうため、自然環境に優しい材料として石，砂又は陶器類を用いたとしても、大量に使用すると海底に捨て錘が蓄積されて環境的にやはり好ましくないという問題があった。また、砂や陶器類を加工した捨て錘の場合、製造コストが高いという不都合もあった。さらに、海中に投入した際に、落下途中で巻き付けたハリスが緩んだり、外れたりすることで、所定のタナに達するまでに多くの撒き餌が撒かれてしまい、撒き餌と付け餌との同調効果が低減してしまう問題もあった。
【０００７】
本考案は、前述の課題に鑑みてなされたもので、海底に蓄積せず、環境的にも好ましいと共に低コストで生産可能なマキコボシ釣り用撒き餌投入容器を提供することを目的とする。
【課題を解決するための手段】
【０００８】
本考案は、前記課題を解決するために以下の構成を採用した。すなわち、第１の考案に係るマキコボシ釣り用撒き餌投入容器は、互いに対向状態に付き合わされた状態で撒き餌と釣り針が刺し込まれた付け餌とを収納可能な撒き餌収納空間を内部に形成可能な一対の撒き餌収納体を備え、前記撒き餌収納体が、海水に溶ける有機材料で形成されていることを特徴とする。
【０００９】
このマキコボシ釣り用撒き餌投入容器では、撒き餌収納体が、海水に溶ける有機材料で形成されているので、海水に溶けて海底に蓄積せず、環境的にも害がないと共に低コストに生産することができる。また、一対の撒き餌収納体が、互いに対向状態に付き合わされた状態で撒き餌と釣り針が刺し込まれた付け餌とを収納可能な撒き餌収納空間を内部に形成可能であるため、巻き付けたハリス（釣り糸）が完全に解けるまで、すなわち所定のタナに達するまでは、撒き餌収納空間内の撒き餌や付け餌が外に出ず、海中に撒かれない。したがって、所定のタナにおいて撒き餌と付け餌とを容易に同調させることができる。
【００１０】
第２の考案に係るマキコボシ釣り用撒き餌投入容器は、第１の考案において、一対の前記撒き餌収納体が、互いに付き合わされた状態で中間に外径が両端部よりも小さく設定されたくびれ部を有していることを特徴とする。
すなわち、このマキコボシ釣り用撒き餌投入容器では、一対の撒き餌収納体が、互いに付き合わされた状態で中間に外径が両端部よりも小さく設定されたくびれ部を有しているので、ハリスをくびれ部に巻き付けることで、ハリスを巻き付けやすくなる。
【００１１】
第３の考案に係るマキコボシ釣り用撒き餌投入容器は、第１又は第２の考案において、前記撒き餌収納体が、最中の皮種と同じ材料で形成されていることを特徴とする。
すなわち、このマキコボシ釣り用撒き餌投入容器では、撒き餌収納体が、最中の皮種と同じ材料で形成されているので、多様な形状を容易に作製することができると共に、既存の材料で低コストに生産可能である。
【００１２】
第４の考案に係るマキコボシ釣り用撒き餌投入容器は、第１から第３の考案のいずれかにおいて、前記撒き餌収納体を構成する材料に、対象魚が好む材料が含有されていることを特徴とする。
すなわち、このマキコボシ釣り用撒き餌投入容器では、撒き餌収納体を構成する材料に、対象魚が好む材料が含有されているので、撒き餌収納空間内に入れた釣り針が撒き餌収納体に引っ掛かっても、対象魚が撒き餌収納体ごと釣り針を食べて針掛かりさせることが可能である。
【考案の効果】
【００１３】
本考案によれば、以下の効果を奏する。
すなわち、本考案に係るマキコボシ釣り用撒き餌投入容器によれば、撒き餌収納体が、海水に溶ける有機材料で形成されているので、環境的にも害がないと共に低コストに生産することができる。また、一対の撒き餌収納体が、互いに対向状態に付き合わされた状態で撒き餌と釣り針が刺し込まれた付け餌とを収納可能な撒き餌収納空間を内部に形成可能であるため、所定のタナにおいて、撒き餌と付け餌とを同調させることができる。
したがって、本考案のマキコボシ釣り用撒き餌投入容器によれば、安価でかつ取り扱いが容易であり、撒き餌と付け餌との同調効果に優れ、高い釣果を得ることが可能になる。
【図面の簡単な説明】
【００１４】
【図１】本考案に係るマキコボシ釣り用撒き餌投入容器の一実施形態において、一対の撒き餌収納体を互いに間隔を空けて撒き餌収納空間も見えるようにした全体の斜視図である。
【図２】本実施形態において、一対の撒き餌収納体を付き合わせてハリスを巻き付けた状態を示す全体の斜視図である。
【考案を実施するための形態】
【００１５】
以下、本考案に係るマキコボシ釣り用撒き餌投入容器の一実施形態を、図１及び図２を参照しながら説明する。
【００１６】
本実施形態のマキコボシ釣り用撒き餌投入容器１は、図１及び図２に示すように、互いに対向状態に付き合わされた状態で撒き餌２と釣り針３が刺し込まれた付け餌４とを収納可能な撒き餌収納空間５を内部に形成可能な一対の撒き餌収納体６を備えている。
上記撒き餌収納体６は、海水に溶ける有機材料で形成されている。すなわち、本実施形態の撒き餌収納体６は、米を原料とした最中の皮種と同じ材料で形成されている。なお、撒き餌収納体６を構成する材料は、海水に溶けるが、瞬時に溶けるものではなく、少なくとも所定のタナに達する十数秒から数分の間は、ある程度の形状を維持可能で、その後、溶ける又は分解する材料であることが好ましい。
【００１７】
この撒き餌収納体６の成形方法としては、最中の皮種と同材料の餅米を原料とした生地を用い、この生地を焼き型に入れて両面同時に焼いて成形する方法や、餅米の粉を水に入れて練ったものを、焼き型に注入して加熱プレスすることで成形する方法などがある。
なお、撒き餌収納体６を構成する材料に、対象魚が好む材料が含有されていることが好ましい。対象魚が好む材料とは、対象魚の餌や集魚剤であって、例えば、撒き餌２や付け餌４とするオキアミやアミエビのエキスやすり潰したものなどを、上記生地に混ぜて成形しても良い。
【００１８】
また、一対の撒き餌収納体６は、互いに付き合わされた状態で中間に外径が両端部よりも小さく設定されたくびれ部６ａを有している。
より詳述すれば、一対の撒き餌収納体６は、図２に示すように、外径が大きく断面略円形の大径部６ｂを両側に有すると共に２つの大径部６ｂの間に外径が大径部６ｂよりも小さい断面略円形のくびれ部６ａを有している。
【００１９】
すなわち、一対の撒き餌収納体６は、互いに付き合わせた状態で、略落花生形状又は略ひょうたん形状となっている。なお、撒き餌収納体６の形状は、略落花生形状又は略ひょうたん形状以外に、立方体形状等の他の形状であっても良いが、くびれ部を有していることが好ましい。
また、撒き餌収納空間５に入れる撒き餌２や付け餌４としては、オキアミやアミエビ等が代表的に用いられる。また、撒き餌２としては、その他に集魚剤なども入れても構わない。さらに、必要に応じて小石などの重い材料を入れて重さ調整してもよい。
【００２０】
次に、本実施形態のマキコボシ釣り用撒き餌投入容器１を用いたマキコボシ釣りの方法について説明する。
【００２１】
まず、一方の撒き餌収納体６の内部に、オキアミ等の撒き餌２を入れると共に釣り針３を刺した付け餌４を入れる。なお、水深や狙いのタナに対応させるため、必要に応じて撒き餌収納空間５に小石などを入れて全体を重くしても構わない。
次に、他方の撒き餌収納体６を一方の撒き餌収納体６の上に重ねて互いに付き合わせ、蓋をした状態とする。なお、このとき、釣り針３に結んだハリス７を撒き餌収納体６の外に出しておく。この状態で内部の撒き餌収納空間５に撒き餌２と付け餌４とが収納される。
【００２２】
さらに、外に出したハリス７をくびれ部６ａに数回から数十回、所定の周回数で巻回し、一対の撒き餌収納体６を互いに付き合わせた状態で固定する。したがって、この状態で投入前のマキコボシ釣り用撒き餌投入容器１が構成される。
この後、ボート等から上記マキコボシ釣り用撒き餌投入容器１を海中に静かに投入すると共に、所定のタナに達するまで道糸を繰り出して送り込み、海中で落下するマキコボシ釣り用撒き餌投入容器１に繋がる道糸にテンションが加わらないようにする。
【００２３】
そして、所定のタナに達したら、道糸の送り出しを止め、道糸にテンションを掛ける。これにより、ハリス７が引っ張られると共に、マキコボシ釣り用撒き餌投入容器１が回転しつつ巻回されたハリス７が解けていく。ハリス７が完全に解けると、付き合わされていた一対の撒き餌収納体６が互いに分離し、内部の撒き餌２及び付け餌４が同時に海中に撒かれることになる。
【００２４】
この後、所定のタナで海中に撒かれた撒き餌２及び付け餌４は、海中の流れによって同調しながら一緒に流れていく。このとき、流れる撒き餌２の帯の中に付け餌４が入っており、撒き餌２を食べる対象魚が撒き餌２と共に付け餌４も食べる確率が高くなり、針掛かりすることで釣ることができる。なお、ハリス７が解けた一対の撒き餌収納体６は、そのまま海底に落ちるか海中を漂うが、しばらくすると海中に溶けて無くなるか或いは分解され、または魚等に食べられて無くなる。
【００２５】
このように本実施形態のマキコボシ釣り用撒き餌投入容器１では、撒き餌収納体６が、海水に溶ける有機材料で形成されているので、海水に溶けて海底に蓄積せず、環境的にも害がないと共に低コストに生産することができる。また、一対の撒き餌収納体６が、互いに対向状態に付き合わされた状態で撒き餌２と釣り針３が刺し込まれた付け餌４とを収納可能な撒き餌収納空間５を内部に形成可能であるため、巻き付けたハリス７が完全に解けるまで、すなわち所定のタナに達するまでは、撒き餌収納空間５内の撒き餌２や付け餌４が外に出ず、海中に撒かれない。したがって、所定のタナにおいて撒き餌２と付け餌４とを容易に同調させることができる。
【００２６】
また、一対の撒き餌収納体６が、互いに付き合わされた状態で中間に外径が両端部よりも小さく設定されたくびれ部６ａを有しているので、ハリス７をくびれ部６ａに巻き付けることで、ハリス７を巻き付けやすくなる。
【００２７】
さらに、撒き餌収納体６が、最中の皮種と同じ材料で形成されているので、多様な形状を容易に作製することができると共に、既存の材料で低コストに生産可能である。特に、撒き餌収納体６を構成する材料に、対象魚が好む材料を含有されることで、撒き餌収納空間５内に入れた釣り針３が撒き餌収納体６に引っ掛かっても、対象魚が撒き餌収納体６ごと釣り針３を食べて針掛かりさせることが可能である。
【００２８】
なお、本考案の技術範囲は上記実施形態に限定されるものではなく、本考案の趣旨を逸脱しない範囲において種々の変更を加えることが可能である。
【符号の説明】
【００２９】
１…マキコボシ釣り用撒き餌投入容器、２…撒き餌、３…釣り針、４…付け餌、５…撒き餌収納空間、６…撒き餌収納体、６ａ…くびれ部
【図１】
0003177106.tif 000003
【図２】
0003177106.tif 000004